(57)【要約】  【目的】  イベントで撮影されたすべての画像を表す画像データを送信する。  【構成】  ディジタル・スチル・カメラに装填されているメモリ・カードには，撮影時刻順にならべると結婚式，旅行および運動会というそれぞれのイベントに分けられる画像が記録されている。撮影順序とは逆に一駒ずつ順にスライド・ショー表示が行われる。イベントの最後の画像（0024.JPG）が表示されると実行ボタンが押される。イベントの最初の画像（0013.JPG）が表示されると再び実行ボタンが押される。最初の実行ボタンが押されてから，次の実行ボタンが押されるまでの間に表示された画像を表す画像データは，順次ストレージ装置に送信される。２駒の画像を指定することにより，それらの間の画像（同一イベントで撮影された画像）を表す画像データがストレージ装置に送信され，記録される。  【選択図】      図６
2005252634.tif 000002
【特許請求の範囲】
【請求項１】
画像データとその画像データによって表される画像の撮影日時を表すデータとが格納されている画像ファイルが記録されている記録媒体から上記画像ファイルを読み取る読み取り手段，
上記読み取り手段によって読み取られた上記画像ファイルに格納されている上記撮影日時データによって表される撮影日時の順序にもとづいて，上記読み取り手段によって読み取られた対応する画像ファイルに格納されている上記画像データによって表される画像を，順に表示するように表示装置を制御する表示制御手段，
選択開始指令を与える選択開始指令手段，
選択終了指令を与える選択終了指令手段，ならびに
上記選択開始指令手段から選択開始指令が与えられたときに上記表示制御手段による表示制御にもとづいて表示されている画像から，上記選択終了指令手段から選択終了指令が与えられたときに上記表示制御手段による表示制御にもとづいて表示されている画像までの画像をそれぞれ表す画像データが格納されているそれぞれの画像ファイルを画像ファイル受信装置に順に送信する送信手段，
を備えた画像ファイル送信装置。
【請求項２】
上記読み取り手段によって読み取られた画像ファイルに格納されている撮影日時データによって表される撮影日時であって，上記表示装置に表示すべき画像の撮影日時と上記表示すべき画像の直前または直後に撮影された画像の撮影日時との差を算出する時刻差算出手段，および
上記時刻差算出手段によって算出された時刻差にもとづいて，上記表示装置に表示すべき画像の表示時間を決定する表示時間決定手段，
をさらに備えた請求項１に記載の画像ファイル送信装置。
【請求項３】
上記表示時間決定手段は，上記時刻差が大きいほど表示時間が長いものである，請求項２に記載の画像ファイル送信装置。
【請求項４】
上記時刻差算出手段は，上記選択開始指令手段から選択開始指令が与えられる前は，上記表示すべき画像の撮影日時と上記表示すべき画像の前または後に撮影された画像の撮影日時との差を算出し，上記選択開始指令手段から選択開始指令が与えられた後は，上記表示すべき画像の撮影日時と上記表示すべき画像の後または前に撮影された画像の撮影日時との差を算出するものである，請求項２に記載の画像ファイル送信装置。
【請求項５】
画像データとその画像データによって表される画像の撮影日時を表すデータとが格納されている画像ファイルが記録されている記録媒体から上記画像ファイルを読み取る読み取り手段，
上記読み取り手段によって読み取られた上記画像ファイルに格納されている上記撮影日時データによって表される撮影日時の順序にもとづいて，上記読み取り手段によって読み取られた対応する画像ファイルに格納されている上記画像データによって表される画像を，順に表示するように表示装置を制御する表示制御手段，
選択開始指令を与える選択開始指令手段，
選択終了指令を与える選択終了指令手段，ならびに
上記選択開始指令手段から選択開始指令が与えられたときに上記表示制御手段による表示制御にもとづいて表示されている画像から，上記選択終了手段から選択終了指令が与えられたときに上記表示制御手段による表示制御にもとづいて表示されている画像までの画像をそれぞれ表す画像データが格納されているそれぞれの画像ファイルがグルーピングされていることを示すグルーピング・ファイルを生成する生成手段，
を備えた画像グルーピング装置。
【請求項６】
送信モードの設定手段，
上記送信モード設定手段によって送信モードが設定されたことに応じて，画像データとその画像データによって表される撮影日時を表すデータとが格納されている画像ファイルが記録されている記録媒体から上記画像ファイルを読み取る読み取り手段，
上記読み取り手段によって読み取られた上記画像ファイルに格納されている上記撮影日時データによって表される撮影日時の遅い順に，上記読み取り手段によって読み取られた対応する画像ファイルに格納されている上記画像データによって表される画像を表示するように表示装置を制御する表示制御手段，
送信終了指令を与える送信終了指令手段，ならびに
上記送信終了手段から送信終了指令が与えられるまでの間に上記表示制御手段による表示制御にもとづいて表示されたそれぞれの画像を表す画像データが格納されているそれぞれの画像ファイルを画像ファイル受信装置に送信する送信手段，
を備えた画像ファイル送信装置。
【請求項７】
画像データとその画像データによって表される撮影日時を表すデータとが格納されている画像ファイルが記録されている記録媒体から上記画像ファイルを読み取る読み取り手段，
上記読み取り手段によって読み取られた上記画像ファイルに格納されている上記撮影日時データによって表される撮影日時の順序にもとづいて，上記読み取り手段によって読み取られた対応する画像ファイルに格納されている上記画像データによって表される画像を，順に表示するように表示装置を制御する表示制御手段，および
上記読み取り手段によって読み取られた画像ファイルに格納されている撮像日時データによって表される撮影日時であって，上記表示装置に表示すべき画像の撮影日時と上記表示すべき画像の撮影日時との差にもとづいて，上記表示装置に表示すべき画像の表示時間を決定する表示時間決定手段，
を備えた画像表示制御装置。
【請求項８】
上記表示時間決定手段は，上記差が大きいほど表示時間が長いものである，請求項７に記載の画像表示制御装置。
【請求項９】
画像データとその画像データによって表される画像の撮影日時を表すデータとが格納されている画像ファイルが記録されている記録媒体から上記画像ファイルを読み取り，
読み取られた上記画像ファイルに格納されている上記撮影日時データによって表される撮影日時の順序にもとづいて，読み取られた対応する画像ファイルに格納されている上記画像データによって表される画像を，順に表示し，
選択開始指令が与えられたときに表示されている画像から，選択終了指令が与えられたときに表示されている画像までの画像をそれぞれ表す画像データが格納されているそれぞれの画像ファイルを画像ファイル受信装置に順に送信する，
画像ファイル送信方法。
【請求項１０】
画像データとその画像データによって表される画像の撮影日時を表すデータとが格納されている画像ファイルが記録されている記録媒体から上記画像ファイルを読み取り，
読み取られた上記画像ファイルに格納されている上記撮影日時データによって表される撮影日時の順序にもとづいて，読み取られた対応する画像ファイルに格納されている上記画像データによって表される画像を，順に表示し，
選択開始指令が与えられたときに表示されている画像から，選択終了指令が与えられたときに表示されている画像までの画像をそれぞれ表す画像データが格納されているそれぞれの画像ファイルがグルーピングされていることを示すグルーピング・ファイルを生成する，
画像グルーピング方法。
【請求項１１】
送信モードが設定されたことに応じて，画像データとその画像データによって表される撮影日時を表すデータとが格納されている画像ファイルが記録されている記録媒体から上記画像ファイルを読み取り，
読み取られた上記画像ファイルに格納されている上記撮影日時データによって表される撮影日時の遅い順に，読み取られた対応する画像ファイルに格納されている上記画像データによって表される画像を表示し，
送信終了指令が与えられるまでの間に表示されていたそれぞれの画像を表す画像データが格納されているそれぞれの画像ファイルを画像ファイル受信装置に送信する，
画像ファイル送信方法。
【請求項１２】
画像データとその画像データによって表される撮影日時を表すデータとが格納されている画像ファイルが記録されている記録媒体から上記画像ファイルを読み取り，
読み取られた上記画像ファイルに格納されている上記撮影日時データによって表される撮影日時の順序にもとづいて，読み取られた対応する画像ファイルに格納されている上記画像データによって表される画像を，表示装置に順に表示し，
読み取られた画像ファイルに格納されている撮像日時データによって表される撮影日時であって，上記表示装置に表示すべき画像の撮影日時と上記表示すべき画像の撮影日時との差にもとづいて，上記表示装置に表示すべき画像の表示時間を決定する，
画像表示制御方法。
【発明の詳細な説明】
【技術分野】
【０００１】
この発明は，画像ファイル送信装置および方法，画像グルーピング装置および方法ならびに画像表示制御装置および方法に関する。
【背景技術】
【０００２】
ディジタル・スチル・カメラを用いて被写体を撮像する場合，撮像によって得られた画像データはメモリ・カードなどに記録される。メモリ・カードの記録容量は一般的に少ないので，そのメモリ・カードに記録されている画像データをディジタル・スチル・カメラとは異なるストレージ装置に記録することがある。たとえば，ディジタル・スチル・カメラとストレージ装置とがケーブルを用いて接続され，画像データがディジタル・スチル・カメラに装填されているメモリ・カードから読み出され，ディジタル・スチル・カメラからストレージ装置に送信される。
【０００３】
ディジタル・スチル・カメラに装填されているメモリ・カードに記録されているすべての画像データを一括してディジタル・スチル・カメラからストレージ装置に送信するもの（特許文献１参照），サムネイル画像を表示し，一駒一駒ずつ順に選択するもの（特許文献２参照）などがある。
【特許文献１】特開2000-350143号公報
【特許文献２】特開2002-39123号公報
【０００４】
しかしながら，メモリ・カードに記録されているすべての画像データをストレージ装置に送信するものでは不要な画像データもストレージ装置に送信されてしまう。また，一駒一駒選択するのでは，数が多くなるほど面倒となる。
【発明の開示】
【０００５】
この発明は，比較的簡単に所望の画像を選択できるようにすることを目的とする。
【０００６】
第１の発明による画像ファイル送信装置は，画像データとその画像データによって表される画像の撮影日時を表すデータとが格納されている画像ファイルが記録されている記録媒体から上記画像ファイルを読み取る読み取り手段，上記読み取り手段によって読み取られた上記画像ファイルに格納されている上記撮影日時データによって表される撮影日時の順序にもとづいて，上記読み取り手段によって読み取られた対応する画像ファイルに格納されている上記画像データによって表される画像を，順（正順，逆順）に表示するように表示装置を制御する表示制御手段，選択開始指令を与える選択開始指令手段，選択終了指令を与える選択終了指令手段，ならびに上記選択開始指令手段から選択開始指令が与えられたときに上記表示制御手段による表示制御にもとづいて表示されている画像から，上記選択終了指令手段から選択終了指令が与えられたときに上記表示制御手段による表示制御にもとづいて表示されている画像（または上記選択終了指令が与えられたときに表示されている画像の一駒前の画像）までの画像をそれぞれ表す画像データが格納されているそれぞれの画像ファイルを画像ファイル受信装置に順に送信する送信手段を備えていることを特徴とする。
【０００７】
第１の発明は，上記画像ファイル送信装置に適した方法も提供している。すなわち，この方法は，画像データとその画像データによって表される画像の撮影日時を表すデータとが格納されている画像ファイルが記録されている記録媒体から上記画像ファイルを読み取り，読み取られた上記画像ファイルに格納されている上記撮影日時データによって表される撮影日時の順序にもとづいて，読み取られた対応する画像ファイルに格納されている上記画像データによって表される画像を，順に表示し，選択開始指令が与えられたときに表示されている画像から，選択終了指令が与えられたときに表示されている画像までの画像をそれぞれ表す画像データが格納されているそれぞれの画像ファイルを画像ファイル受信装置に順に送信するものである。
【０００８】
イベント（旅行，運動会，結婚式など）は同一の時間帯で行われるから，イベント時に撮影された画像は時間的に連続していることが多い。したがって，撮影時刻の順序で並んだ画像のうちあるイベントの最初の駒の画像とそのイベントの最後の駒の画像とを指定すると，指定された２つの駒の画像の間の駒の画像はすべてそのイベントの画像となることが多い。第１の発明は，このような考え方が利用されている。
【０００９】
第１の発明によると，画像データとその画像データによって表される画像の撮影日時を表すデータとが格納されている画像ファイルが記録媒体から読み取られる。読み取られた撮影日時データによって表される撮影日時の順序にもとづいて，読み取られた画像データによって表される画像が順に表示されていく。あるイベントの画像が表示されると選択開始指令が与えられる。その後も画像表示が順に続けられ，そのイベントの終りの画像が表示されると，選択終了指令が与えられる。選択開始指令が与えられたときに表示されていた画像から選択終了指令が与えられていたときに表示されていた画像を表すそれぞれの画像データが格納されているそれぞれの画像ファイルが画像ファイル受信装置に送信される。
【００１０】
第１の発明によると，選択開始指令が与えられることにより，ユーザがイベントの最初の駒の画像を指定し，選択終了指令が与えられることにより，イベントの最後の駒の画像を指定することとなる。選択開始指令が与えられたときから，選択終了指令が与えられたときまでに表示された複数駒の画像を表すそれぞれの画像データが格納されている複数の画像ファイルが画像ファイル受信装置に順に送信されることとなるから，所望のイベントのときに撮影されることにより得られた複数の画像ファイルを画像ファイル受信装置に送信できる。画像ファイルの送信をイベント単位でできるようになる。ユーザは，イベントの最初に撮影した画像と最後に撮影した画像を選択すればよいので，イベントで撮影したすべての画像を選択する場合に比べ煩雑とならない。
【００１１】
上記読み取り手段によって読み取られた画像ファイルに格納されている撮影日時データによって表される撮影日時であって，上記表示装置に表示すべき画像の撮影日時と上記表示すべき画像の直前または直後に撮影された画像の撮影日時との差を算出する時刻差算出手段，および上記時刻差算出手段によって算出された時刻差にもとづいて，上記表示装置に表示すべき画像の表示時間を決定する表示時間決定手段をさらに備えるとよい。
【００１２】
この場合，たとえば，上記表示時間決定手段は，上記時刻差が大きいほど表示時間が長いものとなろう。
【００１３】
時刻差（撮像間隔を表している）が大きいと一連のイベントでの撮像から他のイベントでの撮像に変わったと考えることができる。時刻差が大きいほど表示時間が長くなるので，一つのイベントで撮影された画像の表示が終了し，他のイベントで撮影された画像の表示に切り換わることがわかりやすくなる。
【００１４】
上記時刻差算出手段は，上記選択開始指令手段から選択開始指令が与えられる前は，上記表示すべき画像の撮影日時と上記表示すべき画像の前または後に撮影された画像の撮影日時との差を算出し，上記選択開始指令手段から選択開始指令が与えられた後は，上記表示すべき画像の撮影日時と上記表示すべき画像の後または前に撮影された画像の撮影日時との差を算出することが好ましい。
【００１５】
選択開始指令が与えられる前は，あるイベントにおいて撮影された画像が撮影順またはその逆順に表示されていき異なるイベントでの画像が表示されたときに選択開始指令が与えられるから，撮影順に表示されていれば表示されている画像の撮影日時とその画像の直前の画像の撮影日時との時刻差が大きいほどイベントが変わっている可能性が高い。イベントが変わったことをわかりやすくするために，表示されている画像と表示直前の画像との時刻差が算出され，その算出された時刻差にもとづいて画像が表示される。撮影順の逆順に表示されていれば，逆に表示されている画像の撮影日時とその画像の直後の画像の撮影日時との時刻差が大きいほどイベントが変わっている可能性が高い。イベントが変わったことをわかりやすくするために，表示されている画像と表示直後の画像との時刻差が算出され，その算出された時刻差にもとづいて画像が表示される。
【００１６】
選択開始指令が与えられた後は，選択開始指令が与えられた後に表示されている画像が撮影されたイベントの画像が終了したときに選択終了指令が与えられるから，撮影順に表示されていれば表示されている画像の撮影日時とその画像の直後の画像の撮影日時との時刻差が大きいほどイベントが変わっている可能性が高い。イベントが変わったことをわかりやすくするために，表示されている画像と表示直後の画像との時刻差が算出され，その算出された時刻差にもとづいて画像が表示される。撮影順の逆順に表示されていれば，逆に表示されている画像の撮影日時とその画像の直前の画像の撮影日時との時刻差が大きいほどイベントが変わっている可能性が高い。イベントが変わったことをわかりやすくするために，表示されている画像と表示直前の画像との時刻差が算出され，その算出された時刻差にもとづいて画像が表示される。
【００１７】
第２の発明による画像グルーピング装置は，画像データとその画像データによって表される画像の撮影日時を表すデータとが格納されている画像ファイルが記録されている記録媒体から上記画像ファイルを読み取る読み取り手段，上記読み取り手段によって読み取られた上記画像ファイルに格納されている上記撮影日時データによって表される撮影日時の順序にもとづいて，上記読み取り手段によって読み取られた対応する画像ファイルに格納されている上記画像データによって表される画像を，順に表示するように表示装置を制御する表示制御手段，選択開始指令を与える選択開始指令手段，選択終了指令を与える選択終了指令手段，ならびに上記選択開始指令手段から選択開始指令が与えられたときに上記表示制御手段による表示制御にもとづいて表示されている画像から，上記選択終了手段から選択終了指令が与えられたときに上記表示制御手段による表示制御にもとづいて表示されている画像までの画像をそれぞれ表す画像データが格納されているそれぞれの画像ファイルがグルーピングされていることを示すグルーピング・ファイルを生成する生成手段を備えていることを特徴とする。
【００１８】
第２の発明は，上記画像グルーピング送信装置に適した方法も提供している。すなわち，この方法は，画像データとその画像データによって表される画像の撮影日時を表すデータとが格納されている画像ファイルが記録されている記録媒体から上記画像ファイルを読み取り，読み取られた上記画像ファイルに格納されている上記撮影日時データによって表される撮影日時の順序にもとづいて，読み取られた対応する画像ファイルに格納されている上記画像データによって表される画像を，順に表示し，選択開始指令が与えられたときに表示されている画像から，選択終了指令が与えられたときに表示されている画像までの画像をそれぞれ表す画像データが格納されているそれぞれの画像ファイルがグルーピングされていることを示すグルーピング・ファイルを生成するものである。
【００１９】
第２の発明によると，上記の第１の発明と同様に，選択開始指令が与えられたときに表示されている画像から選択終了指令が与えられたときに表示されている画像までの画像を表す画像データが格納されている画像ファイルがグルーピングされる。特定のイベントで撮像された画像をグループ化することができる。
【００２０】
第３の発明による画像ファイル装置は，送信モードの設定手段，上記送信モード設定手段によって送信モードが設定されたことに応じて，画像データとその画像データによって表される撮影日時を表すデータとが格納されている画像ファイルが記録されている記録媒体から上記画像ファイルを読み取る読み取り手段，上記読み取り手段によって読み取られた上記画像ファイルに格納されている上記撮影日時データによって表される撮影日時の遅い順に，上記読み取り手段によって読み取られた対応する画像ファイルに格納されている上記画像データによって表される画像を表示するように表示装置を制御する表示制御手段，送信終了指令を与える送信終了指令手段，ならびに上記送信終了手段から送信終了指令が与えられるまでの間に上記表示制御手段による表示制御にもとづいて表示されている画像を表す画像データが格納されている画像ファイルを画像ファイル受信装置に送信する送信手段を備えていることを特徴とする。
【００２１】
第３の発明は，上記画像ファイル送信装置に適した方法も提供している。すなわち，この方法は，送信モードが設定されたことに応じて，画像データとその画像データによって表される撮影日時を表すデータとが格納されている画像ファイルが記録されている記録媒体から上記画像ファイルを読み取り，読み取られた上記画像ファイルに格納されている上記撮影日時データによって表される撮影日時の遅い順に，読み取られた対応する画像ファイルに格納されている上記画像データによって表される画像を表示し，送信終了指令が与えられるまでの間に表示されていたそれぞれの画像を表す画像データが格納されているそれぞれの画像ファイルを画像ファイル受信装置に送信するものである。
【００２２】
第３の発明によると，送信モードが設定されると，撮影日時の遅い順に順次画像が表示されていく。表示されている画像を表す画像データが格納されている画像ファイルは順次画像ファイル受信装置に送信される。送信終了指令が与えられると，画像ファイル受信装置への送信が終了する。
【００２３】
記録媒体に記録されている画像ファイルを画像ファイル受信装置に送信したあとに，被写体を撮像し，記録媒体に新たに画像ファイルが記録された場合，新たに記録媒体に記録された画像ファイルを画像ファイル受信装置に送信したい場合がある。第３の発明によると，撮像日時の遅い順に，送信終了指令が与えられるまで画像ファイルが画像ファイル受信装置に送信される。すでに画像ファイル受信装置に送信された画像ファイルによって表される画像が表示された場合に，送信終了指令が与えられることにより，未送信であった画像ファイルの画像ファイル受信装置への送信ができ，かつすでに送信された画像ファイルの画像ファイル受信装置への重複送信を回避できる。
【００２４】
第４の発明による画像表示制御装置は，画像データとその画像データによって表される撮影日時を表すデータとが格納されている画像ファイルが記録されている記録媒体から上記画像ファイルを読み取る読み取り手段，上記読み取り手段によって読み取られた上記画像ファイルに格納されている上記撮影日時データによって表される撮影日時の順序にもとづいて，上記読み取り手段によって読み取られた対応する画像ファイルに格納されている上記画像データによって表される画像を，順に表示するように表示装置を制御する表示制御手段，および上記読み取り手段によって読み取られた画像ファイルに格納されている撮像日時データによって表される撮影日時であって，上記表示装置に表示すべき画像の撮影日時と上記表示すべき画像の撮影日時との差にもとづいて，上記表示装置に表示すべき画像の表示時間を決定する表示時間決定手段を備えていることを特徴とする。
【００２５】
第４の発明は上記画像表示制御装置に適した方法も提供している。すなわち，この方法は，画像データとその画像データによって表される撮影日時を表すデータとが格納されている画像ファイルが記録されている記録媒体から上記画像ファイルを読み取り，読み取られた上記画像ファイルに格納されている上記撮影日時データによって表される撮影日時の順序にもとづいて，読み取られた対応する画像ファイルに格納されている上記画像データによって表される画像を，表示装置に順に表示し，読み取られた画像ファイルに格納されている撮像日時データによって表される撮影日時であって，上記表示装置に表示すべき画像の撮影日時と上記表示すべき画像の撮影日時との差にもとづいて，上記表示装置に表示すべき画像の表示時間を決定するものである。
【００２６】
第４の発明によると，撮影日時の順序にもとづいて画像が順次表示されていく。表示時間は，画像ファイルに格納されている撮像日時データによって表される撮影日時であって，表示装置に表示すべき画像の撮影日時と上記表示すべき画像の撮影日時との時刻差にもとづいて決定される。時刻差が大きいほど表示時間を長く，または短くできる。イベントが変わるときには表示時間を長く，または短くすることができるようになる。
【実施例】
【００２７】
図１は，この発明の実施例を示すもので，ストレージ・システムである。
【００２８】
ストレージ・システムは，互いに通信可能なデイジタル・スチル・カメラ１とストレージ装置50とから構成される。ディジタル・スチル・カメラ１とストレージ装置50とはＵＳＢ（Universal Serial Bus）ケーブル56により通信可能である。もちろん，無線により通信可能なものでもよい。
【００２９】
ディジタル・スチル・カメラ１の上面には，左側にモード選択ダイアル２とシャッタ・レリーズ・ボタン３とが設けられている。ディジタル・スチル・カメラ１の正面には，ほぼ中央の位置に撮像レンズ６が設けられている。右上隅にはストロボ発光装置５が設けられている。ディジタル・スチル・カメラ１の右側面には，ＵＳＢケーブル56を接続するためのコネクタ（ＵＳＢ-miniBタイプ）４が形成されている。
【００３０】
ストレージ装置50は，ディジタル・スチル・カメラ50から送信された画像データを受信し，CD-RWに記録するものである。もっとも，記録媒体はCD-RWに限らないのはいうまでもない。
【００３１】
ストレージ装置50の正面において左側には電源ボタン51が設けられている。また，その正面の中央部分には，開閉自在な扉52が形成されている。この扉52の中にCD-RW54を載せるためのトレイ53が収納される（図１においてはCD-RW54が載せられているトレイ53がストレージ装置50の外部に排出されている様子が示されている）。ストレージ装置50の正面の右側には，ＵＳＢケーブル56を接続するためのコネクタ（ＵＳＢ-Ａタイプ）55が形成されている。
【００３２】
ディジタル・スチル・カメラ１のコネクタ４とストレージ装置50のコネクタ55とにＵＳＢケーブル56が装着されることにより，ディジタル・スチル・カメラ１からストレージ装置50に画像データその他のデータを送信することができるようになる。
【００３３】
この実施例によるストレージ・システムにおいては，後述するように，ディジタル・スチル・カメラ１の背面に液晶表示画面が形成されており，この液晶表示画面にディジタル・スチル・カメラ１に装填されているメモリ・カードに記録されている画像データによって表される画像が撮影日時の逆順（正順でもよい）に順に表示される。ユーザから選択開始指令が与えられると，選択終了指令が与えられるまでの間に，液晶表示画面に表示された画像を表す画像データがディジタル・スチル・カメラ１からストレージ装置50に順に送信される。選択開始指令と選択終了指令を与えるだけで，それらの指令の間の一連の画像グループとして考えられる画像を表す画像データがストレージ装置50に送信されることとなる。
【００３４】
図２(A) は，ディジタル・スチル・カメラ１の背面側を示している。図２(B)  はモード選択ダイアル２の拡大平面図である。
【００３５】
図２(A)を参照して，ディジタル・スチル・カメラ１の背面には，その中央部分に表示画面７が形成されている。表示画面７には，撮像レンズ６によって結像された画像，ディジタル・スチル・カメラ１に装着されたメモリ・カードから読出された画像データによって表される画像，ディジタル・スチル・カメラ１の各種設定のための画像等が表示される。
【００３６】
表示画面７の上側に電源スイッチ12が設けられている。表示画面７の右側には，表示画面７に表示させるべき駒の選択，各種設定等に利用される上下左右キー８，メニュー・ボタン９，実行ボタン10および取消（キャンセル）ボタン11が設けられている。
【００３７】
図２(B)を参照して，モード選択ダイアル２は，回転可能にディジタル・スチル・カメラ１に設けられている。
【００３８】
モード選択ダイアル２の左側には，指標２Ａが形成されている。モード選択ダイアル２上には，Setupの文字２ａ，ＵＳＢの文字２ｂ，ＰＣの文字２ｃ，Movの文字２ｄ，Camの文字２ｅ，およびPlayの文字２ｆが周方向に所定間隔ずつ空けられて記載されている。
【００３９】
セットアップ・モードが設定される場合には，Setupの文字２ａが指標２Ａに位置決めされる。ＵＳＢモードが設定される場合には，ＵＳＢの文字２ｂが指標２Ａに位置決めされる。ＰＣモードが設定される場合には，ＰＣの文字２ｃが指標２Ａに位置決めされる。ムービ・モードが設定される場合には，Movの文字２ｄが指標２Ａに位置決めされる。カメラ・モードが設定される場合には，Camの文字２ｅが指標２Ａに位置決めされる。再生モードが設定される場合には，Playの文字２ｆが指標２Ａに位置決めされる。
【００４０】
初期設定等を行う場合にセットアップ・モードが，ディジタル・スチル・カメラ１からストレージ装置50に画像データを送信する場合には，ＵＳＢモードが設定される。ダイレクト・プリントを行う場合にプリント・モードが，パーソナル・コンピュータとの間でデータの送受信を行う場合にＰＣモードが，ムービ撮影を行う場合にムービ・モードが，静止画撮影を行う場合にカメラ・モードが，動画または静止画を再生する場合に再生モードが，それぞれユーザによって選択される。
【００４１】
図３は，ディジタル・スチル・カメラ１の電気的構成を示すブロック図である。
【００４２】
ディジタル・スチル・カメラ１の全体の動作はＣＰＵ20によって統括される。ディジタル・スチル・カメラ１に含まれているＣＰＵ20，他の種々の回路および装置にはバッテリ43から電源が供給される。
【００４３】
ディジタル・スチル・カメラ１には，システム・メモリ34および不揮発性メモリ35が含まれている。システム・メモリ34に，ディジタル・スチル・カメラ１の動作制御のためのプログラムおよびデータ等が記憶されている。
【００４４】
タイマ36はセルフ・タイマ撮影のときの経過時間の計測に用いられる。カレンダおよび時計37によって日時が計測される。撮影によって得られた画像データが格納される画像ファイルに撮影日時データも格納される。
【００４５】
上述したモード選択ダイアル２，シャッタ・レリーズ・ボタン３，上下左右キー８，メニュー・ボタン９，実行ボタン10，取消ボタン11等（図３において符号39で示す）からの出力信号は，Ｉ／Ｏ（Input/Output）ユニット38を介してＣＰＵ20に入力する。ディジタル・スチル・カメラ１に発光ダイオードが設けられている場合には，Ｉ／Ｏユニット38を介して発光ダイオードに発光信号が出力される。
【００４６】
ストロボ発光装置５は，ストロボ制御装置24によってその発光が制御される。
【００４７】
モード選択ダイアル２によってカメラ・モードが選択されると，撮像回路21に含まれるＣＣＤによって被写体が撮像される。被写体像を表す映像信号が撮像回路21から信号処理回路22に出力され，信号処理回路22において所定の信号処理が実行される。信号処理回路22から出力された映像信号は，アナログ／ディジタル変換回路23においてディジタル画像データに変換される。
【００４８】
ディジタル画像データは，フレーム・メモリ29を介してＬＣＤ（液晶表示装置）制御回路31に入力し，ＬＣＤ制御回路31においてＬＣＤ表示に適したデータに変換等される。ＬＣＤ制御回路31からの出力データが液晶表示装置32に与えられる。表示画面７に画像が表示される。
【００４９】
ＬＣＤ制御回路31にはＯＳＤ（On Screen Device）30からオン・スクリーン信号も入力する。撮像された画像上に，オン・スクリーン信号によって表される日時を表す文字，キャラクタを表す画像等を重畳させて，液晶表示装置32（表示画面７）上に表示することができる。
【００５０】
モード選択ダイアル２によってカメラ・モードが選択されているときにシャッタ・レリーズ・ボタン３が押されると，上述のようにして得られた画像データは，フレーム・メモリ29に一時的に記憶される。画像データはフレーム・メモリ29から読出され，圧縮／伸張回路25において圧縮される。圧縮された画像データがカード・インターフェイス40を介してメモリ・カード・スロット41に装着されているメモリ・カード42に記録される。
【００５１】
再生モードが選択されると，メモリ・カード42に記録されている画像データが読出され，カード・インターフェイス40を介して圧縮／伸張回路25に与えられる。圧縮／伸張回路25において伸張処理が行われ，伸張された画像データがフレーム・メモリ29を介してＬＣＤ制御回路31に入力する。メモリ・カード42に記録されている画像データによって表される画像が，液晶表示装置32（表示画面７）に表示される。
【００５２】
上述のように，ディジタル・スチル・カメラ１は，ＵＳＢケーブル56を接続するためのコネクタ４を備えている。コネクタ４にＵＳＢファンクション・ドライバ26が接続されている。コネクタ７にＵＳＢケーブル56が接続されることにより，ディジタル・スチル・カメラ１とストレージ装置50との間でＵＳＢを利用した通信が行われる。
【００５３】
図４は，セットアップ・モードが設定された場合のディジタル・スチル・カメラ１の液晶表示画面７を示している。
【００５４】
セットアップ・モードにおいて設定できる項目には，記録モード，画素数，シャープネス，ビープ音，ＵＳＢモードおよび画像選択モードがある。設定すべき項目を指定するためにカーソルＣ11が表示されている。このカーソルＣ11は，上下左右キー８の上矢印ボタンが押されことにより，現在位置している項目の一つ上の項目を囲み，上下左右キー８の下矢印ボタンが押されることにより，現在位置している項目の一つ下の項目を囲む。これらの各項目に対応して，設定内容が表示されている。それぞれの項目ごとにカーソルＣ21，Ｃ22，Ｃ23，Ｃ24，Ｃ25およびＣ26が各設定内容を囲んでいる。上下左右キー８の左矢印が押されることにより，現在位置している設定内容の左側の設定内容をそれぞれのカーソルが囲み，上下左右キー８の右矢印が押されることにより，現在位置している設定内容の右側の設定内容をそれぞれカーソルが囲むこととなる。実行ボタン10が押されることにより，カーソルで囲まれている内容が設定される。
【００５５】
記録モードは，メモリ・カード42に記録される画像データの種類を設定するものである。記録モードの設定内容には，JPG/Fine，JPG/BasicおよびCCD-rawがある。JPG/Fineは，圧縮率の低いＪＰＥＧ圧縮を行うことにより得られる画像データをメモリ・カード42に記録するものであり，JPG/Basicは，圧縮率の高いＪＰＥＧ圧縮を行うことにより得られる画像データをメモリ・カード42に記録するものであり，CCD-rawは，非圧縮の画像データをメモリ・カード42に記録するものである。画素数は，メモリ・カード42に記録される画像データによって表される画像の画素数を示すもので，水平方向の画素数および垂直方向の画素数がそれぞれ，1600×1200，1280×960および640×480のものを設定することができる。シャープネスは，ハード，標準およびソフトを設定でき，ビープ音は，大（大音量），標準（標準的な音量），小（小音量）およびオフを設定できる。
【００５６】
ＵＳＢモードは，ＰＣ（ＵＳＢにもとづいてパーソナル・コンピュータと通信するもの），プリンタ（ＵＳＢにもとづいてプリンタに画像データを送信するもの）およびストレージ（ＵＳＢにもとづいてストレージ装置50に画像データを送信するもの）を設定することができる。画像選択モードは，ＵＳＢモードによって送信すべき画像データによって表される画像の選択方法を特定するものである。１駒指定は，送信すべき画像データによって表される一駒の画像を指定するものである。後駒選択は，送信終了となる最後の駒（後駒）の画像を指定するものである。後駒選択が設定されると，ＵＳＢモードが設定され，ストレージ装置50等に画像データが送信される場合には，ディジタル・スチル・カメラ１とストレージ装置50とがＵＳＢケーブル56により接続され，かつそのモードが設定されることにより，撮影日時に遅い順にメモリ・カード42に記録されている画像データが順次ストレージ装置50等に送信される。送信の終了となる後駒がディジタル・スチル・カメラ１のユーザによって指定されるまでストレージ装置50への画像データの送信が続行される。前駒／後駒選択は，ストレージ装置50に送信すべき画像群の最初の駒（前駒）の画像と最後の駒（後駒）の画像をそれぞれ選択することにより，それらの間の画像を表す画像データをストレージ装置50に送信するものである。
【００５７】
図５は，メモリ・カード42のディレクトリ構造を示している。
【００５８】
ルート・ディレクトリ（ROOT）の下の階層に100 ABCDのディレクトリ名をもつディレクトリが形成されている。この100 ABCDのディレクトリ名をもつディレクトリの下の階層にファイル名として0001.JPG〜0027.JPGをもつ27駒の画像を表す画像ファイルが格納されている。
【００５９】
図６は，メモリ・カード42に記録されている27駒の画像ファイルによって表される画像を表している。
【００６０】
この実施例においては，撮影順序に対応して画像ファイルのファイル名がつけられている。上述したように，メモリ・カード42には，27駒の画像ファイルが記録されているから，0001.JPGから0027.JPGまでの画像ファイル名が撮影順序にしたがって付与されていることとなる。
【００６１】
27駒の画像は，３つのグループに分けることができる。第１番目のグループは，0001.JPGから0012.JPGの画像ファイル名をもつ12駒の画像であり，これらの画像は結婚式というイベントにおいて撮影されたものである。第２番目のグループは，0013.JPGから0024.JPGの画像ファイル名をもつ12駒の画像であり，これらの画像は旅行というイベントにおいて撮影されたものである。第３番目のグループは，0025.JPGから0027.JPGの画像ファイル名をもつ３駒の画像であり，これらのこれらの画像は，運動会というイベントにおいて撮影されたものである。
【００６２】
このように，撮影により得られた画像を撮影した時刻（日時）の順序にならべた場合，同一のイベントで撮影により得られた画像は，連続している。このために同一のイベントの最初の駒の画像と最後の駒の画像とを指定すると，それらの指定された駒の画像の間の駒の画像はすべて同一のイベントにより撮影された画像となる。したがって，同一のイベントの最初の駒の画像と最後の駒の画像とを指定し，指定された駒の画像の間の画像を表す画像データを順次ストレージ装置50に送信することにより，ストレージ装置50には，あるイベントについてのすべての画像を表す画像データが送信され，CD-RWに記録されることとなる。
【００６３】
また，この実施例においては，画像の再生順序は，撮影順序と逆（正順でもよい）である。メモリ・カード42に記録されている画像ファイルのうち途中まではすでにストレージ装置50に送信した場合，撮影順序と逆に再生することにより，はじめのうちは未送信の画像が再生され，その再生された画像を表す画像ファイルをストレージ装置50に送信し，送信済みの画像データによって表される画像が表示されたことに応じて送信を停止することにより，未送信であった画像ファイルのみを迅速にストレージ装置50に送信することができる。
【００６４】
図７は，0016.JPGのファイル名をもつ画像ファイルのファイル構造（データ構造）を示している。他の画像ファイルも同様の構成を有している。
【００６５】
画像ファイルには，Tag情報（付属情報）記録領域，サムネイル画像記録領域および主画像記録領域が規定されている。
【００６６】
主画像記録領域には，撮影によって得られた画像データ（主画像データ）が記録されている。サムネイル画像記録領域には，主画像記録領域に記録されている画像データによって表される主画像の縮小画像（水平方向160画素垂直方向120画素）であるサムネイル画像データが記録されている。Tag情報記録領域には，主画像記録領域に記録されている主画像が得られたときの情報（Tag情報）が記録されている。Tag情報には，撮影日時，記録モード，タイトル（主画像のタイトル），ホワイト・バランス，フォーカス，撮影位置（ＧＰＳ：global positioning systemを用いた位置），ストロボ撮影をしたかどうかなどがある。
【００６７】
図８および図９は，メモリ・カード42に記録されている27駒の画像とその画像の再生時間（表示時間）等を示している。
【００６８】
この実施例においては，メモリ・カード42に記録されている画像ファイルが一駒ずつ順に読み出され，ディジタル・スチル・カメラ１の背面に形成されている表示画面に順にスライド・ショー形式で一駒ずつ順に表示される。表示時間は，後述するように，表示すべき画像の撮影日時と表示すべき画像の直前に表示された画像の撮影日時または表示すべき画像の直後に表示される画像の撮影日時との時刻差にもとづいて決定される。時刻差が大きいほど表示時間が長くなり，時刻差が小さいほど表示時間は短くなる。
【００６９】
図８および図９においては，画像および表示時間のほかに撮影順序，再生順序，撮影時刻（上述したように，画像ファイルのTag情報記録領域に記録されている），駒番号（ディレクトリ名とファイル名とを利用して生成される），画像ファイルが格納されているディレクトリ名，ファイル名，撮影時刻，直前に表示される画像との撮影時刻差および直後に表示される画像との撮影時刻差も示されている。
【００７０】
再生順序にしたがって，画像が再生され，一駒ずつディジタル・スチル・カメラ１の液晶表示画面７に表示されていく。再生時間が経過すると，次の駒の画像が表示画面７に表示される。
【００７１】
上述したように，前駒の画像を指定する場合には，直前に表示される画像との時刻差にもとづいて表示時間（前駒選択時）が決定される。これは，前駒を選択する場合には，あるイベントにおいて最初に撮影された画像を見つける場合であり，イベントの最初の画像の表示時間が長くなるようにする（イベントが切り替わる前後の画像の撮影時刻差は大きくなる）ためである。比較的長時間の間画像が表示されるため，ユーザはイベントの最初の画像であることを思い出し，前駒として指定することができるようになる。
【００７２】
後駒の画像を指定する場合には，直後に表示される画像との時刻差にもとづいて表示時間（後駒選択時）が決定される。これは，後駒を選択する場合には，あるイベントにおいて最後に撮影された画像を見つける場合であり，イベントの最後の画像の表示時間が長くなるようにする（イベントが切り替わる前後の画像の撮影時刻差は大きくなる）ためである。前駒の指定と同様に，比較的長時間の間画像が表示されるため，ユーザはイベントの最後の画像であることを思い出し，後駒として指定することができるようになる。
【００７３】
表示時間は，時刻差（表示すべき画像の撮影時刻と表示すべき画像の直前に表示された画像の撮影時刻との差または表示すべき画像の撮影時刻と表示すべき画像の直後に表示される画像の撮影時刻との差）にもとづいて決定される。時刻差が１日よりあれば表示時間は２秒となり，時刻差が１時間よりあり，かつ１日以下であると，表示時間は１秒となり，時刻差が１時間以下であると表示時間は0.5秒となる。
【００７４】
ユーザが旅行の画像のすべてをディジタル・スチル・カメラ１からストレージ装置50に送信し，ストレージ装置50にそれらの画像を表す画像データを記録させるために，旅行の最初に撮影した画像（前駒）と旅行の最後に撮影した画像（後駒）とを指定するものとする。
【００７５】
前駒を指定するまでは，再生順序にしたがって撮影順の逆順に画像画再生され，表示されていく。前駒が選択される前までの各駒の画像の表示時間は，直前に表示された画像との撮影時刻差によって決定される。第１番目から第３番目に順に再生される画像は運動会イベントで撮影された画像であり時刻差が比較的短時間であるために最初の駒の画像を除き（最初の駒の画像は比較すべき直前の画像が無いため２秒とされる），表示時間は比較的短い。第３番目の画像（ファイル名：0023.JPG）から第４番目の画像（ファイル名0024.JPG）に表示される画像が切り替わると，イベントが変わるので，撮影時刻差も長い（撮影時刻差は９日16時間57分５秒）。イベントの最初の画像は，比較的長時間の間（２秒）表示される。
【００７６】
前駒の指定が終わると，後駒の指定が行われる。前駒の指定が終わると，各駒の画像の表示時間は，直後に表示される画像との撮影時刻差によって決定される。第４番目に表示される画像（ファイル名：0024.JPG）から第15番目に表示される画像（ファイル名：0013.JPG）までは旅行という同一のイベントで撮影された画像であるから撮影時刻差は比較的短い。このために各駒の表示時間は比較的短い。第15番目の画像と第16番目の画像（ファイル名：0012.JPG）との間でイベントが変わっているから，時刻差も大きい（24日23時間44分40秒）。イベントの最後の画像が比較的長時間の間（２秒）表示される。
【００７７】
前駒の指定と後駒の指定とで，各駒の再生時間の算出の方法を変えているのでイベントの最初の画像の表示時間とイベントの最後の画像の表示時間とを長くでき，イベントの最初の画像と最後の画像とを指定し易くなる。
【００７８】
図10および図11は，再生時間を算出する処理手順を示すフローチャートである。
【００７９】
ステータスが前駒を選択するものか後駒を選択するものかがチェックされる（ステップ61）。
【００８０】
ステータスが前駒を選択するものであるとすると，現在駒番号（表示時間を算出すべき画像の駒番号）が最大駒番号かどうかが確認される（ステップ62）。最大駒番号であれば（ステップ62でＹＥＳ），最後に撮影された画像（最初に表示される画像）の表示時間を算出するものであるから，比較すべき対象となる直前に表示される画像が存在しない。このために，規定の表示時間（再生時間）である２秒に設定される（ステップ70）。
【００８１】
現在駒番号が最大駒番号でなければ（ステップ62でＮＯ），比較すべき対象となる直前に表示される画像が存在するから直前に表示される画像の撮影時刻差が算出される。このために，現在駒番号の画像の撮影日時ｔ１が対応する画像ファイルのTag領域から読み取られる（ステップ63）。次に，現在駒番号の次に大きい駒番号の画像（直前に表示される画像）の撮影日時ｔ２が対応する画像ファイルのTag領域から読み取られる（ステップ64）。読み取られた２つの撮影時刻から撮影時刻差（直前に表示される画像との撮影時刻差）Δｔ＝｜ｔ２−ｔ１｜が算出される（ステップ65）。
【００８２】
上述したように，撮影時刻差Δｔが１日よりも大きければ（ステップ66でＹＥＳ），再生時間は２秒に設定される（ステップ70）。撮影時刻差Δｔが１時間よりあり，かつ１分以上であれば（ステップ67でＹＥＳ）再生時間Ｔは１秒に設定される（ステップ69）。撮影時刻差Δｔが１時間以下であれば（ステップ67でＮＯ），再生時間は0.5秒に設定される（ステップ68）。
【００８３】
ステータスが後駒を選択するものであるとすると，現在駒番号が最小駒番号かどうかが確認される（ステップ72）。最小駒番号であれば（ステップ72でＹＥＳ），最初に撮影された画像（最後に表示される画像）の表示時間を算出するものであるから，比較すべき対象となる直後に表示される画像が存在しない。このために，規定の表示時間である２秒に設定される（ステップ80）。
【００８４】
現在駒番号が最小駒番号でなければ（ステップ72でＮＯ），比較すべき対象となる直後に表示される画像が存在するから直後に表示される画像の撮影時刻差が算出される。このために，現在駒番号の画像の撮影日時ｔ１が対応する画像ファイルのTag領域から読み取られる（ステップ73）。次に，現在駒番号の次に小さい駒番号の画像（直後に表示される画像）の撮影日時ｔ３が対応する画像ファイルのTag領域から読み取られる（ステップ74）。読み取られた２つの撮影時刻から撮影時刻差（直後に表示される画像との撮影時刻差）Δｔ＝｜ｔ３−ｔ１｜が算出される（ステップ75）。
【００８５】
上述したステータスが前駒の設定の場合と同様に，撮影時刻差Δｔが１日よりも大きければ（ステップ76でＹＥＳ），再生時間は２秒に設定される（ステップ80）。撮影時刻差Δｔが１時間よりあり，かつ１分以上であれば（ステップ77でＹＥＳ）再生時間Ｔは１秒に設定される（ステップ79）。撮影時刻差Δｔが１時間以下であれば（ステップ77でＮＯ），再生時間は0.5秒に設定される（ステップ78）。
【００８６】
図12から図15は，ＵＳＢモードが設定され，かつストレージ装置が接続されている場合のディジタル・スチル・カメラの処理手順を示すフローチャートである。
【００８７】
セットアップ・モードにおいて設定されている画像選択モードが１駒指定モード，後駒選択モードおよび前駒／後駒選択モードのうちのどれかが確認される（ステップ91）。
【００８８】
まず，前駒／後駒選択モードが設定されたものとする。
【００８９】
画像選択モードの他のモードへの変更などのモード変更がなければ（ステップ92でＮＯ），実行ボタン10が押されたかどうかがチェックされる（ステップ93）。実行ボタン10の押下により（ステップ93でＹＥＳ），処理が開始する。
【００９０】
撮影順序の逆順により画像が順に再生され，かつ表示されるから，現在駒番号が最大駒番号とされる（ステップ94）。また，前駒／後駒選択モードに設定されているから，最初にステータスが前駒選択中とされる（ステップ95）。つづいて，上述したように（図10および図11），現在駒番号の再生時間Ｔが算出される（ステップ96）。ステータスが前駒の選択中にされているから，再生時間は，直前に表示される画像の撮影時刻差にもとづいて決定されるのはいうまでもない。すると，算出された再生時間の間，現在駒番号の画像が表示される（ステップ97）。
【００９１】
キャンセル・ボタン11の押下が無ければ（ステップ98でＮＯ），実行ボタン10の第２回目の押し下げがあったかどうかが確認される（ステップ99）。第２回目の実行ボタン10の押下は，前駒／後駒選択モードが設定されている場合には前駒の選択指令（選択開始指令）となる。第２回目の実行ボタン10の押下が無ければ（ステップ99でＮＯ），表示時間が経過するまで（ステップ110でＮＯ），現在駒番号の画像が表示され続ける。表示時間が経過すると（ステップ110でＹＥＳ），現在駒番号が最小駒番号かどうかが確認される（ステップ111）。最小駒番号であると（ステップ111でＹＥＳ），メモリ・カード42に記録されているすべての画像が表示されたこととなるので画像表示が終了する。最小駒番号でなければ（ステップ111でＮＯ），メモリ・カード42に記録されている画像データによって表される画像のうち，未表示の画像があるので，現在駒番号が，現在駒番号の次に小さい駒番号に設定される（ステップ112）。新たに設定された駒番号をもつ画像の表示時間が算出され（ステップ96），算出された表示時間の間，画像が表示される（ステップ97）。
【００９２】
ディジタル・スチル・カメラ１の表示画面７に，算出された表示時間の間一駒ずつ表示されている画像を見ながら，ユーザはイベントの最初に撮影した画像が表示されると第２回目の実行ボタン10を押下を行う（前駒の選択）。第２回目の実行ボタン10の押し下げがあると（ステップ99でＹＥＳ），その押し下げがあったときに表示されている画像が選択されたものとなる。ステータスが前駒の選択中であれば（ステップ100でＹＥＳ），次に実行ボタンが押されたときには後駒の選択となるのでステータスが後駒選択中とされる（ステップ108）。そして，現在駒番号が前駒番号に設定される（ステップ109）。
【００９３】
再生時間が経過するまで（ステップ110でＹＥＳ），前駒として選択された画像の表示が続けられる。
【００９４】
前駒の選択後に実行ボタンが再び押されると（第３回目の実行ボタン10の押下；ステップ99でＹＥＳ），実行ボタンが押されたときに表示されている画像が後駒の画像として選択されたこととなる（選択終了指令）。このために，現在駒番号が後駒番号に設定される（ステップ101）。
【００９５】
また，選択された前駒から後駒までの画像を表す画像データを一駒ずつ順にストレージ装置50に送信するために，現在駒番号がすでに設定された前駒番号に戻される（ステップ102）。
【００９６】
現在駒番号の画像の表示が開始され（選択された前駒の画像から表示が開始され）（ステップ102），表示されている画像データによって表される画像がストレージ装置50に送信される（ステップ104）。
【００９７】
現在駒番号が後駒番号となった場合（ステップ105でＹＥＳ）には，ユーザによって選択された前駒から後駒までの画像を表す画像データのストレージ装置50への送信が終了したものとなるからステップ92の処理に戻る。また，キャンセル・ボタン11が押された場合も（ステップ106でＹＥＳ）ステップ92の処理に戻る。現在駒番号が後駒番号ではなく（ステップ105でＮＯ），かつキャンセル・ボタン11が押されなければ（ステップ106でＮＯ），現在駒番号が現在駒番号の次に小さい駒番号にされ（ステップ107）画像の再生が繰り返される（ステップ103）。
【００９８】
図14を参照して，後駒選択モードが設定されている場合には，他のモードへの変更がなければ（ステップ121でＮＯ），実行ボタン10の押下により（ステップ128でＹＥＳ），処理が開始する。現在駒番号が最大駒番号とされ（ステップ123），ステータスが後駒選択中とされる（ステップ124）。後駒選択モードにおいては，前駒／後駒選択モードと異なり，前駒を選択する必要がないからである。
【００９９】
現在駒番号の再生時間Ｔが算出され（ステップ125），その再生時間の間現在駒番号の画像が表示され続けられる（ステップ126）。さらに，現在駒番号の画像を表す画像データがディジタル・スチル・カメラ１からストレージ装置50に送信される（ステップ127）。
【０１００】
すでにストレージ装置50に送信した画像データによって表される画像が表示されると，ユーザによってキャンセル・ボタン11が押される（ステップ128でＹＥＳ）。すると，画像データの送信が停止する。ストレージ装置50に送信後に撮影された画像を表す画像データをストレージ装置50に送信できるようになる。
【０１０１】
算出された再生時間が経過するまで画像が表示される（ステップ129）。算出された再生時間が経過すると（ステップ129でＹＥＳ），現在駒番号が最初駒番号かどうかが確認される（ステップ130）。現在駒番号が最小駒番号でなければ（ステップ130でＮＯ），現在駒番号が現在駒番号の次に小さい駒番号に設定され（ステップ132），再び表示時間の算出が行われ，算出された時間の間画像が表示される（ステップ125，126）。現在駒番号が最小駒番号であれば（ステップ130でＹＥＳ），メモリ・カード42にはストレージ装置50に送信すべき画像データが残っていないのでステップ121の処理に戻る。
【０１０２】
図15を参照して，１駒指定モードが設定されている場合には，現在駒番号が最大駒番号に設定される（ステップ141）。現在駒番号の画像が再生され，表示画面上に表示される（ステップ142）。
【０１０３】
上下左右キー８のうち右矢印ボタンが押されると（ステップ143でＹＥＳ），現在駒番号が最大駒番号かどうかが確認される（ステップ144）。最大駒番号であれば（ステップ144でＹＥＳ），最小の駒番号に戻って画像を表示するために，現在駒番号が最小駒番号に設定される（ステップ146）。最大駒番号でなければ（ステップ144でＮＯ），現在駒番号の次に大きい駒番号に現在駒番号が設定され（ステップ145），画像が表示される（ステップ142）。
【０１０４】
上下左右キー８のうち左矢印ボタンが押されると（ステップ147でＹＥＳ），現在駒番号が最小駒番号かどうかが確認される（ステップ148）。最小駒番号であれば（ステップ148でＹＥＳ），最大駒番号から画像を表示するために，現在駒番号が最大駒番号に設定される（ステップ150）。最小駒番号でなければ（ステップ148でＮＯ），現在駒番号の次に小さい駒番号に現在駒番号が設定され（ステップ149），画像が表示される（ステップ152）。
【０１０５】
実行ボタンが押されると（ステップ151でＹＥＳ），現在駒番号の画像（現在表示されている画像）を表す画像データがディジタル・スチル・カメラ１からストレージ装置50に送信される（ステップ152）。
【０１０６】
他のモードに変更されないかぎりステップ142からの処理が繰り返される（ステップ153）。
【０１０７】
上述した実施例においては，前駒／後駒選択モードにおいては選択された前駒と後駒の間に表示された画像を表す画像データをディジタル・スチル・カメラ１からストレージ装置50に送信し，後駒選択モードにおいては，後駒が選択されるまでに表示されていた画像を表す画像データがディジタル・スチル・カメラ１からストレージ装置50に送信され，１駒選択モードにおいてはユーザによって選択された１駒の画像を表す画像データがディジタル・スチル・カメラ１からストレージ装置50に送信されている。しかしながら，選択とともに画像データをストレージ装置50に送信しなくとも選択された画像（前駒，後駒）を示すデータが格納されたファイルをディジタル・スチル・カメラ１に装填されているメモリ・カード42に記録するようにしてもよい。後でファイルを読み取ることにより，選択された画像を表す画像データを必要に応じてストレージ装置50に送信できるようになる。
【０１０８】
図16は，メモリ・カード42のディレクトリ構造を示している。
【０１０９】
図５に示されているディレクトリ構造と比べてORDERのディレクトリ名をもつディレクトリがルート・ディレクトリの下の階層に形成されている。このORDERのディレクトリ名をもつディレクトリに，ファイル名としてGRP INFO.TXTをもつグルーピング・ファイルが形成されている。
【０１１０】
図17は，グルーピング・ファイルの内容の一例である。
【０１１１】
第１行から第４行は，グルーピング・ファイルを生成した日時およびディジタル・スチル・カメラの機種を示している。第５行から第７行が，選択された前駒のファイル名（パス）を示している。第８行から第10行が，選択された後駒のファイル名を示している。
【０１１２】
このようなグルーピング・ファイルが生成されることにより，選択と同時にストレージ装置50に画像データを送信しなくとも，後で選択された画像データをストレージ装置50に送信できるようになる。
【０１１３】
上述した実施例においては，撮影順序と逆順に表示していき，選択開始指令が与えられたときに表示されている画像を前駒とし，選択終了指令が与えられたときに表示されている画像を後駒としているが，選択終了指令が与えられたときに表示されている画像の一駒前の画像を後駒としてもよい。イベントが切り替わり，次のイベントの最初の画像が表示されたときに，選択終了指令が与えられる場合に，その次のイベントの最初の画像を表す画像ファイルをストレージ装置に送信されてしまうのを回避するためである。
【図面の簡単な説明】
【０１１４】
【図１】ストレージ・システムを示している。
【図２】(A)は，ディジタル・スチル・カメラの斜視図，(B)は，モード選択ダイアルを示している。
【図３】ディジタル・スチル・カメラの電気的構成を示すブロック図である。
【図４】ディジタル・スチル・カメラのセットアップ時に表示される画像の一例である。
【図５】メモリ・カードのディレクトリ構造を示している。
【図６】メモリ・カードに記録されている画像を示している。
【図７】画像ファイルのファイル構造を示している。
【図８】メモリ・カードに記録されている画像とその再生時間等を示している。
【図９】メモリ・カードに記録されている画像とその再生時間等を示している。
【図１０】再生時間算出処理手順を示すフローチャートである。
【図１１】再生時間算出処理手順を示すフローチャートである。
【図１２】ＵＳＢモードの処理手順を示すフローチャートである。
【図１３】ＵＳＢモードの処理手順を示すフローチャートである。
【図１４】ＵＳＢモードの処理手順を示すフローチャートである。
【図１５】ＵＳＢモードの処理手順を示すフローチャートである。
【図１６】メモリ・カードのディレクトリ構造を示している。
【図１７】グルーピング・ファイルの一例である。
【符号の説明】
【０１１５】
１  ディジタル・スチル・カメラ
４，55  コネクタ
７  表示画面
10  実行ボタン（選択開始指令手段，選択終了指令手段）
20  ＣＰＵ
26  ＵＳＢファンクション・ドライバ
31  液晶表示制御回路
32  液晶表示装置
42  メモリ・カード
50  ストレージ装置
【図１】
2005252634.tif 000003
【図２】
2005252634.tif 000004
【図３】
2005252634.tif 000005
【図４】
2005252634.tif 000006
【図５】
2005252634.tif 000007
【図６】
2005252634.tif 000008
【図７】
2005252634.tif 000009
【図８】
2005252634.tif 000010
【図９】
2005252634.tif 000011
【図１０】
2005252634.tif 000012
【図１１】
2005252634.tif 000013
【図１２】
2005252634.tif 000014
【図１３】
2005252634.tif 000015
【図１４】
2005252634.tif 000016
【図１５】
2005252634.tif 000017
【図１６】
2005252634.tif 000018
【図１７】
2005252634.tif 000019